(57)【特許請求の範囲】
【請求項１】
ドリルやエンドミルなどの工具が挿入される工具挿入部が設けられた工具ホルダを保持する工具ホルダ保持部と、工具ホルダ保持部に保持された工具ホルダの前記工具挿入部の周壁を囲繞する状態で設けられた加熱部と、この加熱部に連設される支持部とを有し、工具ホルダの工具挿入部に工具を焼嵌めにより固定する焼嵌め装置であって、前記加熱部は支持部を支点に水平回動自在に設けられ、また、前記加熱部は左右二分割され、夫々の内面に凹部が形成されており、閉じた状態においては前記凹部が合致して工具ホルダの工具挿入部が配設される孔が形成される構成であり、一方の分割体の基端部は支持部に連設され、該一方の分割体の先端部には他方の分割体の先端部が枢着されて該他方の分割体が一方の分割体に対して水平回動自在に構成され、他方の分割体が一方の分割体に対して水平回動することで加熱部が開いた状態となった際、該加熱部が前記支持部を支点に水平回動するように構成されていることを特徴とする焼嵌め装置。
【請求項２】
請求項１記載の焼嵌め装置において、先端に形成された加熱部に熱風を供給する熱風供給部が設けられ、下部には水平回動機構が設けられた構成の支持部が採用されていることを特徴とする焼嵌め装置。
【請求項３】
請求項１，２いずれか１項に記載の焼嵌め装置において、工具ホルダ保持部には、該工具ホルダ保持部に保持された工具ホルダを冷却する冷却部が設けられていることを特徴とする焼嵌め装置。
【請求項４】
請求項３記載の焼嵌め装置において、冷却部は、工具ホルダの工具挿入部に冷風を吹き付ける送風部であることを特徴とする焼嵌め装置。
【発明の詳細な説明】
【０００１】
【発明の属する技術分野】
本発明は、ドリルやエンドミルなどの工具を工具ホルダに焼嵌めにより固定する際に使用する焼嵌め装置に関するものである。
【０００２】
【従来の技術及び発明が解決しようとする課題】
例えば、特開平１１−７７４４３号のように、ドリルやエンドミルなどの工具を工具ホルダの工具挿入部に挿入し、該工具と工具ホルダとを焼嵌めにより固定する焼嵌め装置（以下、従来例という。）が提案されている。
【０００３】
この従来例は、工具ホルダを保持する工具ホルダ保持部と、工具ホルダの工具挿入部を囲繞して加熱する加熱部とが設けられ、工具挿入部を上向きとして工具ホルダを工具ホルダ保持部で保持し、この工具ホルダの工具挿入部を加熱部により囲繞して加熱し、該工具ホルダの工具挿入部の内径を拡径させつつ該工具挿入部に工具を挿入し、工具の工具挿入部への挿入完了後、工具ホルダを冷却（放冷の場合もある）することで工具挿入部の内径を径小とし、前記工具を工具ホルダの工具挿入部に焼嵌め固定するものである。
【０００４】
ところで、この従来例は、工具を工具ホルダの工具挿入部に焼嵌め固定した後に該工具付工具ホルダを工具ホルダ保持部から抜き取る際、前記特開平１１−７７４４３号に図示されているような、径小な工具ホルダであれば、加熱部上方に設けられている開口部から工具ホルダをそのまま抜き取ることができるが、この工具ホルダが前記加熱部上方の開口部よりも径大である場合には、該工具ホルダをそのまま抜き取ることはできず、加熱部を上方位置へ移動させ、続いて、工具ホルダを抜き取る必要がある。従って、この際、抜き取る工具ホルダの上方位置に加熱により熱くなっている加熱部が存在している為、該加熱部に手が触れたりするおそれが高く、非常に危険であり、よって、作業性が悪いという問題点がある。
【０００５】
また、工具ホルダに焼嵌め固定されている工具が摩耗した為に該工具を新しい工具に取り替える場合、先ず、摩耗した工具が固定されている工具ホルダを工具ホルダ保持部で保持し、この工具ホルダの工具挿入部を加熱して拡径した後、該工具挿入部から工具を抜くという作業が必要となる。しかし、この際にも、工具ホルダの上方位置の加熱部が邪魔になるという問題点がある。更に、工具挿入部から摩耗した工具を抜いた後、続いて、該工具挿入部に新しい工具を挿入して焼嵌め固定する場合にも、上方位置に加熱により熱くなっている加熱部が位置している為、前記同様の問題点がある。
【０００６】
本発明は、上記問題点を解決するもので、加熱作業により熱くなっている加熱部に手が触れることなく安全に工具を工具ホルダに焼嵌めすることができる実用性，操作性，安全性に秀れた焼嵌め装置を提供するものである。
【０００７】
【課題を解決するための手段】
添付図面を参照して本発明の要旨を説明する。
【０００８】
ドリルやエンドミルなどの工具１が挿入される工具挿入部２が設けられた工具ホルダ３を保持する工具ホルダ保持部４と、工具ホルダ保持部４に保持された工具ホルダ３の前記工具挿入部２の周壁５を囲繞する状態で設けられた加熱部８と、この加熱部８に連設される支持部７とを有し、工具ホルダ３の工具挿入部２に工具１を焼嵌めにより固定する焼嵌め装置であって、前記加熱部８は支持部７を支点に水平回動自在に設けられ、また、前記加熱部８は左右二分割され、夫々の内面に凹部が形成されており、閉じた状態においては前記凹部が合致して工具ホルダ３の工具挿入部２が配設される孔11が形成される構成であり、一方の分割体９の基端部は支持部７に連設され、該一方の分割体９の先端部には他方の分割体10の先端部が枢着されて該他方の分割体10が一方の分割体９に対して水平回動自在に構成され、他方の分割体10が一方の分割体９に対して水平回動することで加熱部８が開いた状態となった際、該加熱部８が前記支持部７を支点に水平回動するように構成されていることを特徴とする焼嵌め装置に係るものである。
【０００９】
また、請求項１記載の焼嵌め装置において、先端に形成された加熱部８に熱風を供給する熱風供給部14が設けられ、下部には水平回動機構15が設けられた構成の支持部７が採用されていることを特徴とする焼嵌め装置に係るものである。
【００１０】
また、請求項１，２いずれか１項に記載の焼嵌め装置において、工具ホルダ保持部４には、該工具ホルダ保持部４に保持された工具ホルダ３を冷却する冷却部13が設けられていることを特徴とする焼嵌め装置に係るものである。
【００１１】
また、請求項３記載の焼嵌め装置において、冷却部13は、工具ホルダ３の工具挿入部２に冷風を吹き付ける送風部であることを特徴とする焼嵌め装置に係るものである。
【００１２】
【発明の作用及び効果】
工具ホルダ保持部４に保持された工具ホルダ３の工具挿入部２の周壁５を加熱部８により加熱して工具挿入部２を拡径した後、該工具挿入部２に工具１を挿入し、この工具１の挿入が完了した後、工具１付工具ホルダ３を工具ホルダ保持部４から抜く際、加熱部８を支持部７を支点に水平回動した後で工具１付工具ホルダ３を工具ホルダ保持部４から抜く。従って、加熱により熱くなっている加熱部８が工具ホルダ保持部４の上方位置に存在しないから、該加熱部８に手が触れるおそれがなく、該工具１付工具ホルダ３の抜き取り作業を安全に行えることになる。
【００１３】
本発明は上述のように構成したから、加熱作業により熱くなっている加熱部に手が触れることなく安全に工具を工具ホルダに焼嵌めすることができる実用性，操作性，安全性に秀れた焼嵌め装置となる。
【００１４】
【発明の実施の形態】
図面は本発明の一実施例を図示したものであり、以下に説明する。
【００１５】
ドリルやエンドミルなどの工具１が挿入される工具挿入部２が設けられた工具ホルダ３を保持する工具ホルダ保持部４と、工具ホルダ保持部４に保持された工具ホルダ３の前記工具挿入部２の周壁５を囲繞する状態で設けられた加熱部８と、この加熱部８に連設される支持部７とを有し、工具ホルダ３の工具挿入部２に工具１を焼嵌めにより固定する焼嵌め装置であって、前記加熱部８は支持部７を支点に水平回動自在に設けられ、また、前記加熱部８は左右二分割され、夫々の内面に凹部が形成されており、閉じた状態においては前記凹部が合致して工具ホルダ３の工具挿入部２が配設される孔11が形成される構成であり、一方の分割体９の基端部は支持部７に連設され、該一方の分割体９の先端部には他方の分割体10の先端部が枢着されて該他方の分割体10が一方の分割体９に対して水平回動自在に構成され、他方の分割体10が一方の分割体９に対して水平回動することで加熱部８が開いた状態となった際、該加熱部８が前記支持部７を支点に水平回動するように構成されているものである。
【００１６】
ここで工具ホルダ３は、先端に工具挿入部２を有し、基端に先細りテーパー状のテーパー部３’が連設された公知の構造である。
【００１７】
工具ホルダ保持部４は、前記工具ホルダ３のテーパー部３’を嵌合するテーパー嵌合部４’が設けられており、該テーパー嵌合部４’に工具ホルダ３のテーパー部３’を嵌合すると、工具挿入部２が上向きとなるように保持される。
【００１８】
支持部７は、先端に加熱部８が形成され、基端に該加熱部８に熱風を供給する熱風供給部14が設けられた棒状体であり、また、熱風供給部14の下部には水平回動機構15が設けられている。
【００１９】
水平回動機構15は、加熱部８により工具挿入部２を加熱する位置から、該加熱部８を右方向に６０乃至９０°水平回動し得るように構成されている。この回動可能量が大きすぎると、支持部７の加熱部８と対向する端部が工具ホルダ３に接近してしまい、該端部が邪魔になるおそれが生じる。従って、水平回動機構15は、加熱部８を右方向に６０乃至９０°以上水平回動しないように構成されている。
【００２０】
加熱部８は左右二分割され閉じた状態において工具挿入部２が配設される孔11が形成される構成である。具体的には、右側の分割体９及び左側の分割体10には夫々内面に凹部が形成されており、該凹部同志を重合状態とすることで前記工具挿入部２を配設し得る孔11が形成される構成としている。
【００２１】
また、右側の分割体９の基端部は支持部７に連設され、該右側の分割体９の先端部には左側の分割体10の先端部が蝶番12により枢着されて右方向へ水平回動自在に構成され、この右側の分割体９と左側の分割体10の基端部には両者を重合固定する重合固定部が設けられ、この左側の分割体10が右側の分割体９に対して水平回動することで加熱部８が開いた状態となった際、該加熱部８が水平回動するように構成されている。尚、重合固定部は、右側の分割体９の基端部に球状の凸部を設け、左側の分割体10の基端部に前記球状の凸部と嵌合する凹部を設け、両者を凹凸嵌合することで該右側の分割体９と左側の分割体10とを係止する構造等、どのようなものを採用しても良い。
【００２２】
また、右側の分割体９と左側の分割体10との連結する蝶番12は、加熱部８にして支持部７の対向側に設けられている。従って、左側の分割体10を右側の分割体９に対して右方向に約９０°以上水平回動することで、加熱部８の水平回動が許容される。この点、他の部位に蝶番12が存在する構成であると、回動した左側の分割体10が右側の分割体９や支持部７にぶつかってしまうおそれがあり、問題となる。
【００２３】
また、左側の分割体10には、該左側の分割体10を水平回動操作する際に把持する把持部16が突設されている。
【００２４】
尚、加熱部８が左方向に水平回動する構成の場合、加熱部８として本実施例と左右逆の構成を採用する。
【００２５】
工具ホルダ保持部４の近傍には、該工具ホルダ保持部４に保持された工具ホルダ３を冷却する冷却部13が設けられている。
【００２６】
この冷却部13は、工具ホルダ３の工具挿入部２の周壁５を加熱し、続いて、該工具挿入部２に工具１を挿入し、続いて、加熱部８を開き、加熱部８を水平回動させて該加熱部８が工具ホルダ３の工具挿入部２の周壁５を囲繞する状態を解除した後、工具挿入部２の周壁５に冷風を吹き付けて該周壁５を強制的に冷却するものである。尚、図中符号17は、冷却部13から吹き出す冷風量を調整するバルブである。
【００２７】
また、支持部７は、工具ホルダ３が種々の高さを有する場合があることに対応し、その工具ホルダ３の工具挿入部２を適確に加熱し得るよう高さを可変できるように上下動自在に設けられている。尚、図中符号18は、支持部７を上下動を可能若しくは不可能とする操作部である。
【００２８】
また、図中符号19は、本実施例を使用して摩耗した工具１の取り換え作業において、摩耗した工具１の引き上げと共に工具ホルダ３が引き上げられてしまうことを防止する引き上げ阻止部である。
【００２９】
本実施例は上述のように構成したから、加熱部８を開き、加熱部８を水平回動操作するだけで、該加熱部８が工具ホルダ３の工具挿入部２を囲繞する状態を解除し、且つ、工具ホルダ保持部４の近傍から加熱部８を除去することができ、しかも、この加熱部８が工具ホルダ保持部４の上方位置に存在しないから、加熱により熱くなっている加熱部８に邪魔されずに、工具１付工具ホルダ３を抜くことができる実用性，操作性に秀れた焼嵌め装置となる。
【００３０】
また、この水平回動された加熱部８は、摩耗した工具１を取り換える為に該工具１を工具ホルダ３の工具挿入部３から取り外す作業の際にも、工具ホルダ保持部４の上方位置に加熱部８が存在しない為邪魔にならず、しかも、工具１付工具ホルダ３を工具ホルダ保持部４に保持させる際、加熱部８を工具１の高さよりも高くしたりする必要もなく、加熱部８を水平移動させて該工具ホルダ３の工具挿入部２の周壁５を囲繞する状態とし、該周壁５を加熱して工具挿入部２と工具１との嵌合固定を解除することが容易にできる実用性，操作性に秀れた焼嵌め装置となる。
【００３１】
また、多数の工具ホルダ３の工具挿入部２に連続して工具１を焼嵌め固定する場合、工具ホルダ保持部４の上方位置に加熱部８が存在しない為、工具１付工具ホルダ３の抜き取り作業、及び、工具１付工具ホルダ３の工具ホルダ保持部４への保持作業が容易で、更に、加熱部８の水平回動操作により、従来例のように加熱部を上下操作する方法に比し、簡単に加熱部８が工具ホルダ３の工具挿入部２を囲繞する状態を解除でき、それだけ短時間で連続した焼嵌め固定操作を完了することができる実用性，作業性に秀れた焼嵌め装置となる。
【００３２】
また、加熱部８は左右二分割された構造で、左側の分割体10を水平回動操作することによって加熱部８を開くように構成されているから、該加熱部８を開く作業が容易で、しかも、該加熱部８を開く構造も簡易なものとなる実用性に秀れた焼嵌め装置となる。
【００３３】
また、左側の分割体10には把持部16が設けられているから、加熱作業によって熱くなっている加熱部８を開く作業を容易に行うことができる実用性，作業性，安全性に秀れた焼嵌め装置となる。
【００３４】
また、加熱された工具ホルダ３を冷却する冷却部13が設けられているから、加熱された工具挿入部２と工具１との密着固定が短時間で完了することになる実用性に秀れた焼嵌め装置となる。
【図面の簡単な説明】
【図１】本実施例の説明斜視図である。
【図２】本実施例の説明平面図である。
【図３】本実施例の説明正面図である。
【図４】本実施例の説明正面図である。
【符号の説明】
１  工具
２  工具挿入体
３  工具ホルダ
４  工具ホルダ保持部
５  周壁
７  支持部
８  加熱部
９  一方の分割体
10  他方の分割体
11  孔
13  冷却部
14  熱風供給部
15  水平回動機構
【図１】
0003598244.tif 000002
【図２】
0003598244.tif 000003
【図３】
0003598244.tif 000004
【図４】
0003598244.tif 000005